(57)【要約】【課題】撮像装置を薄型化する際、撮像素子や光学部材に不具合が生じにくい構造とするとともに、製造が容易であることを可能にする。【解決手段】基板ＰＣに形成された開口部１０に対応して基板ＰＣの裏面側に撮像素子２を備え、基板ＰＣの表面側からその開口部１０を通じて当該撮像素子２の受光面に当接するように、撮像素子２に入射光を集光する光学部材１を備えるとともに、光学部材１及び基板ＰＣの開口部１０を覆う外枠部材（鏡枠４、遮光板５、フィルタ６）を備える構成とした。【選択図】　　図２
2004120617.tif 000002
【特許請求の範囲】
【請求項１】
開口部が形成された基板と、
前記基板の裏面側に、前記開口部の少なくとも一部を塞ぐように取り付けられた撮像素子と、
前記基板の表面側から前記開口部を通じて前記撮像素子の表面に当接するように取り付けられ、前記撮像素子に入射光を集光する光学部材と、
前記光学部材及び前記開口部を覆って前記基板に取り付けられた外枠部材と、
を備えたことを特徴とする撮像装置。
【請求項２】
請求項１に記載の撮像装置において、
前記光学部材は、前記外枠部材に嵌合されて、当該光学部材の光軸を中心とする回転が防止される被嵌合部を備え、
前記外枠部材は、前記被嵌合部を嵌合する嵌合部を備えていることを特徴とする撮像装置。
【請求項３】
請求項１又は２に記載の撮像装置において、
前記光学部材は、前記撮像素子の表面に当接する第１の光学部材と、
前記第１の光学部材と同じ光軸となるように、当該第１の光学部材に積層された１乃至複数の補助光学部材とにより構成されていることを特徴とする撮像装置。
【請求項４】
請求項１〜３の何れか一項に記載の撮像装置において、
前記基板に、画像処理を行うための電気部品が備えられていることを特徴とする撮像装置。
【請求項５】
請求項１〜４の何れか一項に記載の撮像装置において、
前記外枠部材によって覆われた前記基板の上に、所定の電気部品が配置されていることを特徴とする撮像装置。
【請求項６】
請求項４又は５に記載の撮像装置において、
前記電気部品の少なくとも一部は、前記基板に前記外枠部材を固定する際の固定位置近傍に配置されていることを特徴とする撮像装置。
【請求項７】
請求項１〜６の何れか一項に記載の撮像装置において、
前記撮像素子の表面には、前記開口部に対応するように、入射光を電気信号に変換する光電変換部が設けられており、
前記光学部材は、入射光を前記光電変換部に集光させることにより、被写体像を結像させるように備えられていることを特徴とする撮像装置。
【請求項８】
請求項１から請求項７の何れか一項に記載の撮像装置がケース内に搭載されていることを特徴とする携帯端末。
【発明の詳細な説明】
【０００１】
【発明の属する技術分野】
本発明は、携帯電話機やモバイルコンピュータなどの携帯端末に搭載可能な撮像装置及びその携帯端末に関する。
【０００２】
【従来の技術】
従来、携帯電話機やパーソナルコンピュータ等の小型、薄型の電子機器に搭載可能な、小型で高性能の撮像装置が開発されている。かかる撮像装置には、基板に設けられた撮像素子と、この撮像素子に集光させるためのレンズ等を有する光学部材とが一体化されて備えられているものがある。
近年、これら電子機器の更なる薄型化に伴い、撮像装置自体を薄型化するため、図９に示されるように、基板ＰＣに開口部１０ａを形成し、基板ＰＣの裏面側にその開口部１０ａを塞ぐように備えられた撮像素子２２に対し、結像レンズ部Ｒを有する外枠体Ｃを基板ＰＣの表面側からその開口部１０ａを通じて当接するように備えることにより、基板ＰＣの厚み分、光学素子ＯＰＴ（結像レンズ部Ｒ、外枠体Ｃ）の突出を抑える構成の撮像装置３００が知られている（例えば、特許文献１参照。）。
【０００３】
【特許文献１】
特開２００１−２９２３５４号公報
【０００４】
【発明が解決しようとする課題】
しかしながら、上記特許文献１の場合、結像レンズ部Ｒと外枠体Ｃとを一体とした光学素子ＯＰＴを撮像素子２２に固定する際、ピント調整の点で製造上の誤差があると光学的機能を達成できないため、光学素子ＯＰＴを撮像素子２２に固定後ピント位置（合焦位置）等の微調整を行う必要があった。
また、撮像装置３００における基板ＰＣと光学素子ＯＰＴとの間に隙間が生じることがあり、その隙間に埃などのゴミや、湿気（結露）等が侵入しやすい状態になることがあった。そして、その隙間にゴミや湿気等が侵入して撮像素子２２に作用してしまうことにより、撮像素子２２における撮像情報に影響を与えてしまうことがあった。また、光学素子ＯＰＴの結像レンズ部Ｒが外部に剥き出した形状であるため、結像レンズ部Ｒに汚れが付着したり、傷がついたりしやすいという問題もあった。
【０００５】
本発明の課題は、撮像装置を薄型化する際に、製造が容易で且つ撮像素子や光学部材に不具合が生じにくい構造の撮像装置を提供することである。
【０００６】
【課題を解決するための手段】
以上の課題を解決するため、請求項１記載の発明は、
開口部が形成された基板と、
前記基板の裏面側に、前記開口部の少なくとも一部を塞ぐように取り付けられた撮像素子と、
前記基板の表面側から前記開口部を通じて前記撮像素子の表面に当接するように取り付けられ、前記撮像素子に入射光を集光する光学部材と、
前記光学部材及び前記開口部を覆って前記基板に取り付けられた外枠部材と、
を備えたことを特徴とする。
【０００７】
請求項１記載の発明によれば、光学部材の寸法精度を安定させ、撮像素子に当接するように組み付けることにより、光学部材の合焦位置を好適な位置とし、所定の光学的機能を達成することができ、組み付け時および組み付け後に、光学部材の合焦位置に関する調整を不要とすることができる。
特に、基板の開口部に対応して基板の裏面側に取り付けられた撮像素子に対し、基板の表面側からその開口部を通じて当該撮像素子の表面に当接するように、撮像素子に入射光を集光する光学部材が取り付けられるとともに、光学部材及び基板の開口部を覆う外枠部材が取り付けられているので、その撮像装置は基板の厚み分、薄く形成されるとともに、撮像装置に備えられた光学部材や開口部に対応した撮像素子を外枠部材で保護することができ、外枠部材の外部からのゴミや湿気の侵入や、光学部材が汚れたり傷付いたりすることから防ぐことができる。
従って、このような撮像装置は容易に製造できるとともに、撮像素子や光学部材に不具合が生じにくい構造とすることができる。
【０００８】
請求項２記載の発明は、請求項１に記載の撮像装置において、
前記光学部材は、前記外枠部材に嵌合されて、当該光学部材の光軸を中心とする回転が防止される被嵌合部を備え、
前記外枠部材は、前記被嵌合部を嵌合する嵌合部を備えていることを特徴とする。
【０００９】
請求項２記載の発明によれば、請求項１に記載の発明と同様の効果が得られることは無論のこと、特に、光学部材に備えられた被嵌合部と、外枠部材に備えられた嵌合部とが、嵌合することにより、光学部材は外枠部材に嵌合され、光学部材の光軸を中心とする回転が防止されるように位置規制される。よって、光学部材は所定の位置、例えば、撮像素子に対する所定の位置からずれにくいので、安定した撮像を行うことができる。
【００１０】
請求項３記載の発明は、請求項１又は２に記載の撮像装置において、
前記光学部材は、前記撮像素子の表面に当接する第１の光学部材と、
前記第１の光学部材と同じ光軸となるように、当該第１の光学部材に積層された１乃至複数の補助光学部材とにより構成されていることを特徴とする。
【００１１】
請求項３記載の発明によれば、請求項１又は２に記載の発明と同様の効果が得られることは無論のこと、特に、第１の光学部材と補助光学部材とを複合して用いることにより、第１の光学部材と補助光学部材との、それぞれの光学素子としての機能等を複合することにより、光学部材としての機能の幅を広げることができる。よって、様々な機能の撮像装置を構成することが可能となる。
【００１２】
請求項４記載の発明は、請求項１〜３の何れか一項に記載の撮像装置において、
前記基板に、画像処理を行うための電気部品が備えられていることを特徴とする。
【００１３】
請求項４記載の発明によれば、請求項１〜３の何れか一項に記載の発明と同様の効果が得られることは無論のこと、特に、撮像装置における基板に、画像処理を行うための電気部品が備えられているので、撮像装置は１つの撮像ユニットとして取り扱うことができ、様々な電子機器等への搭載や交換を容易に行うことができる。
【００１４】
請求項５記載の発明は、請求項１〜４の何れか一項に記載の撮像装置において、
前記外枠部材によって覆われた前記基板の上に、所定の電気部品が配置されていることを特徴とする。
【００１５】
請求項５記載の発明によれば、請求項１〜４の何れか一項に記載の発明と同様の効果が得られることは無論のこと、特に、外枠部材によって覆われた基板の上に、所定の電気部品が配置されているので、その所定の電気部品を、外枠部材で覆うことができ、外枠部材の外側における環境外乱等から保護することができる。よって、電気部品に不具合が生じにくい構造とすることができる。
【００１６】
請求項６記載の発明は、請求項４又は５に記載の撮像装置において、
前記電気部品の少なくとも一部は、前記基板に前記外枠部材を固定する際の固定位置近傍に配置されていることを特徴とする。
【００１７】
請求項６記載の発明によれば、請求項４又は５記載の発明と同様の効果が得られることは無論のこと、特に、電気部品の少なくとも一部は、基板に外枠部材を固定する際の固定位置近傍に配置されているので、外枠部材はその電気部品に案内されるなどし、容易に基板に位置決めすることができ、基板への固定を容易に行うことができる。
【００１８】
請求項７記載の発明は、請求項１〜６の何れか一項に記載の撮像装置において、
前記撮像素子の表面には、前記開口部に対応するように、入射光を電気信号に変換する光電変換部が設けられており、
前記光学部材は、入射光を前記光電変換部に集光させることにより、被写体像を結像させるように備えられていることを特徴とする。
【００１９】
請求項７記載の発明によれば、請求項１〜６の何れか一項に記載の発明と同様の効果が得られることは無論のこと、特に、撮像素子の表面には、開口部に対応するように、入射光を電気信号に変換する光電変換部が設けられているとともに、光学部材は入射光をその光電変換部に集光させることにより、被写体像を結像させるように備えられているので、好適に撮像を行うことができる。
【００２０】
請求項８記載の発明は、請求項１から請求項７の何れか一項に記載の撮像装置がケース内に搭載されていることを特徴とする携帯端末。
【００２１】
請求項８記載の発明によれば、請求項１から請求項７の何れか一項に記載の撮像装置がケース内に搭載されている携帯端末は、その撮像装置に基づき、薄型化されるとともに、撮像装置に応じた多機能な撮像を行うことができる。
【００２２】
【発明の実施の形態】
以下、図を参照して本発明の実施の形態を詳細に説明する。
〔第１の実施の形態〕
図１は、本実施の形態における撮像装置１００の斜視図であり、図２は、図１のＩＩ−ＩＩ線における同撮像装置１００の一部省略断面図である。図３は、撮像装置１００の基板ＰＣの一部省略上面図である。図４は、撮像装置１００に備えられた光学部材１の斜視図であり、図５は、同光学部材１の下面図である。図６は、図２のＶＩ−ＶＩ線における断面図である。
【００２３】
図１から図３に示されるように、撮像装置１００は、開口部１０が形成された基板ＰＣと、その基板ＰＣの裏面側から開口部１０を塞ぐように備えられた撮像素子２と、基板ＰＣの表面側から開口部１０を通じて、その撮像素子２の表面である受光面に当接し、撮像素子２に集光させるための光学部材１と、この光学部材１に入射する光の量を調節する絞り板３と、撮像素子２と開口部１０とを覆い隠す外枠部材としての鏡枠４と、鏡枠４に備えられた遮光性を有する遮光板５と、遮光板５に支持されるフィルタ６と、遮光板５と光学部材１の間に備えられ、光学部材１を基板ＰＣ側へ押圧する押圧部材７と、光学部材１の位置決めを行うために基板ＰＣ上の所定位置に配置された位置決め電気部品８ａ・・・と、その他基板ＰＣ上に配置された電気部品８・・・等により構成されている。
【００２４】
撮像素子２は、例えば、ＣＭＯＳ型イメージセンサからなり、矩形薄板状の撮像素子２の端部における上面が、基板ＰＣの裏面側に取り付けられている。撮像素子２の上面中央には、画素が２次元的に配列され、撮像面としての光電変換部２ａが形成されており、撮像素子２が基板ＰＣの裏面に取り付けられた際、基板ＰＣに形成された開口部１０の位置に光電変換部２ａが対応するようになっている。
また、撮像素子２の端部における上面と、基板ＰＣの裏面側とは、電極としてのバンプ１２を介して取り付けられており、撮像素子２と基板ＰＣとはバンプ１２により電気的に接続されている。なお、撮像素子２と基板ＰＣとは、ＡＣＦ（導電性フィルム）等を用いた圧着や、溶着、溶接等により取り付けられ、接続されている。
【００２５】
光学部材１は、透明なプラスチック材料を素材とし、図２及び図４から図６に示されるように、管状の脚部１ｃと、この脚部１ｃに支持される凸レンズ形状のレンズ部１ａとが一体的に形成されている。脚部１ｃは、下端に形成された４つの当接部１ｄと、上端周囲に形成された上脚部１ｅと、当接部１ｄと上脚部１ｅとの間に形成された下脚部１ｆとを備えている。また、脚部１ｃの上端を塞ぐ板状の上面部１ｂの中央にレンズ部１ａが形成されている。
下脚部１ｆは、水平断面視において円の外周の２点を結ぶ線（弦）によって切り欠かれた略Ｄ字形状となっており、被嵌合部を形成している。
【００２６】
また、上面部１ｂの上面であって、レンズ部１ａの周囲には、遮光性のある素材からなり、凸レンズ部１ａのＦナンバーを規定する第１の絞りとしての開口３ａを有する絞り板３が接着剤により固定されている。
【００２７】
光学部材１の外側には、遮光性のある素材からなり外枠部材を構成する鏡枠４が配置されている。鏡枠４には、図１に示すように、角柱状の下部４ａと、円筒状の上部４ｂとが設けられている。鏡枠４の上部４ｂの上端には、遮光板５が接着剤Ｂにより取り付けられている。遮光板５は、その中央に第２の絞りとしての開口５ａを有している。遮光板５の中央の開口５ａの下方に、赤外線吸収特性を有する素材からなるフィルタ６が接着剤Ｂにより接合されている。そして、この遮光板５とフィルタ６とでカバー部材１１を構成する。
【００２８】
また、下部４ａの下端部４ａａは、基板ＰＣ上に鏡枠４が取り付けられる際の接着部位となる箇所であって、鏡枠４の下部４ａが基板ＰＣ上に当接され取り付けられる際には、下部４ａの下端部４ａａと、基板ＰＣとの間に接着剤Ｂが塗布され、固着される。
このように、基板ＰＣと鏡枠４とカバー部材１１とが密着し接合しているので、基板ＰＣと鏡枠４とカバー部材１１等に覆われる光学部材１や撮像素子２の表面は、環境外乱である埃などのゴミや湿気等の付着や傷等の損傷から防がれ、保護される。
つまり、鏡枠４とカバー部材１１とで構成される外枠部材が、光学部材１や基板ＰＣの開口部１０、撮像素子２の表面を覆うことにより、撮像装置１００は、防塵、防湿の構造、光学部材１等の保護構造を有する。
【００２９】
また、鏡枠４の下部４ａと上部４ｂとの間の隔壁４ｃの内周面には、光学部材１の被嵌合部である下脚部１ｆに対応した嵌合部としてのＤ溝４４が形成されており、図６に示されるように、このＤ溝４４に下脚部１ｆが密着的に嵌合している。このような、下脚部１ｆとＤ溝４４との嵌合により、光学部材１は、例えば、光学部材１のレンズ部１ａの光軸を中心とした回転が防止されるように、鏡枠４に位置規制されている。
【００３０】
また、光学部材１は鏡枠４に位置規制されているので、基板ＰＣの所定位置に、例えば、後述する位置決め電気部品８ａに基づき、鏡枠４を位置決めして配置することにより、基板ＰＣの所定位置に光学部材１を配置することができ、例えば、基板ＰＣに備えられた撮像素子２の光電変換部２ａの中心と、鏡枠４に嵌合された光学部材１のレンズ部１ａの光軸の中心を一致させるように備えることができる。
また、光学部材１は鏡枠４に位置規制されているため、基板ＰＣの所定位置に鏡枠４が配置され、固定された状態においては、光学部材１は所定の位置からずれにくく、例えば、光学部材１のレンズ部１ａの光軸の中心と、撮像素子２の光電変換部２ａの中心とが一致した状態を維持しやすい。
【００３１】
図２において、光学部材１と、遮光板５との間には、例えば、コイルばねなどの弾性部材により構成された押圧部材７が配置されている。遮光板５が鏡枠４に取り付けられることで、遮光板５が押圧部材７を押圧して、押圧部材７が弾性変形する。この押圧部材７は、光学部材１を図２中、下方に向かって所定の押圧力により押圧して、光学部材１を撮像素子２に付勢する。ここで、遮光板５から下方の撮像素子２に向かう力が加わった際、押圧部材７が弾性変形することにより、その力を吸収する緩衝作用が働くので、その力は直接撮像素子２には伝達されず、撮像素子２が破損することを防ぐ効果がある。
【００３２】
電気部品８・・・は、撮像装置１００を動作させ、画像処理を行うために必要な電気部品である。このように電気部品８・・・が基板ＰＣ上に設けられているので、撮像装置１００を一つのユニットとして、様々な電子機器に搭載しやすくなる。
位置決め電気部品８ａ・・・は、例えば、コンデンサ、抵抗、ダイオード等であり、図２、図３において、基板ＰＣ上の鏡枠４と、開口部１０との間であって、鏡枠４に近接し、鏡枠４の４隅に対応して配置されている。この位置決め電気部品８ａ・・・は、鏡枠４を基板ＰＣ上に固着する際の固定位置の近傍にあり、鏡枠４の位置決め指標となる。なお、位置決め電気部品８は、例えば、コンデンサ、抵抗、ダイオード等に限らず、撮像装置１００に必要な電気部品であればよい。また、電気部品８・・・のうち、鏡枠４等からなる外枠部材の外部における環境外乱から保護したい電気部品８（例えば、ＣＰＵなどの電子部品）は、位置決め電気部品８ａのように、鏡枠４（外枠部材）の内側に配置すればよい。
【００３３】
このように、撮像装置１００において、撮像素子２が基板ＰＣの裏面側から基板ＰＣの開口部１０を塞ぐように備えられるとともに、基板ＰＣの表面側から開口部１０を通じて、その撮像素子２の受光面に当接するように光学部材１が備えられているので、基板ＰＣの厚さ分、基板ＰＣ表面から垂直方向への光学部材１の突出を抑えることができる。よって、その光学部材１の突出を抑えた分、撮像装置１００の厚みを薄くすることができる。
特に、光学部材１や、光学部材１が備えられた撮像素子２の表面は、鏡枠４とカバー部材１１等の外枠部材により覆われていることにより、光学部材１や撮像素子２は、撮像装置１００の外部からの埃などのゴミや湿気等の付着や傷等の損傷から防がれ、保護されるので、光学部材１や撮像素子２の状態に起因する撮像情報への影響を排除することができる。
また、光学部材１は、鏡枠４に嵌合され、位置規制されているので、鏡枠４を基板ＰＣの所定の位置に固着することに基づき、光学部材１を基板ＰＣや基板ＰＣに備えられた撮像素子２に対し、所定の位置合わせを行うように備えることができるとともに、光学部材１が基板ＰＣや基板ＰＣに備えられた撮像素子２の所定位置からずれることを防ぐことができる。
【００３４】
〔第２の実施の形態〕
次に、本発明の第２の実施の形態について説明する。なお、第１の実施の形態と同様の箇所の説明は省略し、異なる部分についてのみ説明する。
図７は、本発明の第２の実施の形態における撮像装置２００の一部省略断面図である。
【００３５】
図７に示されるように、撮像装置２００における光学部材は、基板の表面側から開口部１０を通じて、撮像素子２の表面に当接する第１の光学部材５０と、この第１の光学部材５０に入射する光の量を調節する絞り板３３を介し、第１の光学部材５０の上方に備えられた補助光学部材としての第２の光学部材６０とにより構成されている。なお、第１の光学部材５０と第２の光学部材６０との光軸は同一となっている。
【００３６】
第１の光学部材５０は、レンズ部５０ａの周囲に管状の下脚部５０ｆを備えたものであり、下脚部５０ｆの下端部には撮像素子２に当接する当接部５０ｄが設けられている。また、第１の光学部材５０の外周部は、鏡枠４の隔壁４ｃに当接し嵌合されており、第１の光学部材５０の位置決めを確実なものとしている。
【００３７】
第１の光学部材５０の管状の下脚部５０ｆの上面であって、レンズ部５０ａの周囲には、遮光性のある素材からなり、レンズ部５０ａのＦナンバーを規定する絞りとしての開口３３ａを有する絞り板３３が接着剤により、固定されている。
【００３８】
第２の光学部材６０は、レンズ部６０ａの周囲に管状の上脚部６０ｅを備えたものであり、上脚部６０ｅの下面側には、絞り板３３が接着剤により、固定されている。また、第２の光学部材６０は、第２の光学部材６０と、遮光板５との間に配置された押圧部材７により、第２の光学部材６０を図７中、下方に向かって所定の押圧力により押圧して、絞り板３３を介し第１の光学部材５０を撮像素子２に付勢する。
【００３９】
このように、撮像装置２００において、第１の光学部材５０と第２の光学部材６０とを複合して用いることにより、第１の光学部材５０と第２の光学部材６０との、それぞれの光学素子としての機能等を複合することにより、光学部材としての機能の幅を広げることができる。よって、薄型化した撮像装置であっても、より高機能な撮像装置とすることができる。
【００４０】
次に、撮像装置１００を一例として、上記撮像装置を搭載した携帯端末について説明する。
図８に示すように、携帯端末は、例えば、折り畳み式携帯電話機Ｔ（以下、携帯電話機Ｔという）であり、表示画面Ｄを備えたケースとしての上筐体７１と、操作ボタンＰを備えた下筐体７２とがヒンジ７３を介して連結されている。撮像装置１００は、上筐体７１の内表面側（表示画面Ｄを有する側）の表示画面Ｄの下方に内蔵されており、撮像装置１００（光学部材１）が上筐体７１の外表面から光を取り込めるものとされている。このように、携帯電話機Ｔに薄型化された撮像装置１００を内蔵することにより、携帯電話機Ｔをより薄型化することができ、撮像対象との距離や、撮像環境に合わせて撮像装置１００の機能を使い分けることにより、付加価値の高い携帯電話機Ｔとすることができる。なお、携帯電話機Ｔのその他の構成要素は、公知のものであるため、説明を省略する。
【００４１】
なお、以上の実施の形態においては、光学部材１に形成された被嵌合部である下脚部１ｆは、断面略Ｄ字形状としたが、本発明はこれに限定されるものではなくその他の嵌合形状であってもよい。
また、撮像装置２００は、第１の光学部材５０と第２の光学部材６０とによるレンズ部２枚構成を例に説明したが、光学部材、レンズ部の数はこれに限らず、任意であり、複数の光学部材の積層形状、積層方法等も任意である。
また、その他、具体的な細部構造等についても適宜に変更可能であることは勿論である。
【００４２】
【発明の効果】
請求項１記載の発明によれば、光学部材の寸法精度を安定させ、撮像素子に当接するように組み付けることにより、光学部材の合焦位置を好適な位置とし、所定の光学的機能を達成することができ、組み付け時および組み付け後に、光学部材の合焦位置に関する調整を不要とすることができる。
特に、基板の開口部に対応して基板の裏面側に取り付けられた撮像素子に対し、基板の表面側からその開口部を通じて当該撮像素子の表面に当接するように、撮像素子に入射光を集光する光学部材が取り付けられるとともに、光学部材及び基板の開口部を覆う外枠部材が取り付けられているので、その撮像装置は基板の厚み分、薄く形成されるとともに、撮像装置に備えられた光学部材や開口部に対応した撮像素子を外枠部材で保護することができ、外枠部材の外部からのゴミや湿気の侵入や、光学部材が汚れたり傷付いたりすることから防ぐことができる。従って、このような撮像装置は容易に製造できるとともに、撮像素子や光学部材に不具合が生じにくい構造とすることができる。
【００４３】
請求項２記載の発明によれば、請求項１に記載の発明と同様の効果が得られることは無論のこと、特に、光学部材に備えられた被嵌合部と、外枠部材に備えられた嵌合部とが、嵌合することにより、光学部材は外枠部材に嵌合され、光学部材の光軸を中心とする回転が防止されるように位置規制される。よって、光学部材は所定の位置、例えば、撮像素子に対する所定の位置からずれにくいので、安定した撮像を行うことができる。
【００４４】
請求項３記載の発明によれば、請求項１又は２に記載の発明と同様の効果が得られることは無論のこと、特に、第１の光学部材と補助光学部材とを複合して用いることにより、第１の光学部材と補助光学部材との、それぞれの光学素子としての機能等を複合することにより、光学部材としての機能の幅を広げることができる。よって、様々な機能の撮像装置を構成することが可能となる。
【００４５】
請求項４記載の発明によれば、請求項１〜３の何れか一項に記載の発明と同様の効果が得られることは無論のこと、特に、撮像装置における基板に、画像処理を行うための電気部品が備えられているので、撮像装置は１つの撮像ユニットとして取り扱うことができ、様々な電子機器等への搭載や交換を容易に行うことができる。
【００４６】
請求項５記載の発明によれば、請求項１〜４の何れか一項に記載の発明と同様の効果が得られることは無論のこと、特に、外枠部材によって覆われた基板の上に、所定の電気部品が配置されているので、その所定の電気部品を、外枠部材で覆うことができ、外枠部材の外側における環境外乱等から保護することができる。よって、電気部品に不具合が生じにくい構造とすることができる。
【００４７】
請求項６記載の発明によれば、請求項４又は５記載の発明と同様の効果が得られることは無論のこと、特に、電気部品の少なくとも一部は、基板に外枠部材を固定する際の固定位置近傍に配置されているので、外枠部材はその電気部品に案内されるなどし、容易に基板に位置決めすることができ、基板への固定を容易に行うことができる。
【００４８】
請求項７記載の発明によれば、請求項１〜６の何れか一項に記載の発明と同様の効果が得られることは無論のこと、特に、撮像素子の表面には、開口部に対応するように、入射光を電気信号に変換する光電変換部が設けられているとともに、光学部材は入射光をその光電変換部に集光させることにより、被写体像を結像させるように備えられているので、好適に撮像を行うことができる。
【００４９】
請求項８記載の発明によれば、請求項１から請求項７の何れか一項に記載の撮像装置がケース内に搭載されている携帯端末は、その撮像装置に基づき、薄型化されるとともに、撮像装置に応じた多機能な撮像を行うことができる。
【図面の簡単な説明】
【図１】本発明の第１の実施の形態における撮像装置を示す斜視図である。
【図２】本発明の第１の実施の形態における撮像装置を示す一部省略断面図である。
【図３】本発明にかかる撮像素子における基板の一部省略上面図である。
【図４】本発明の第１の実施の形態における光学部材の斜視図である。
【図５】本発明の第１の実施の形態における光学部材の下面図である。
【図６】図２のＶＩ−ＶＩ線における断面図である。
【図７】本発明の第２の実施の形態における撮像装置を示す一部省略断面図である。
【図８】本発明の撮像装置を搭載した携帯電話機の一例を示す正面図及び背面図である。
【図９】従来の撮像装置を示す斜視図である。
【符号の説明】
１　　　光学部材
１ａ　　レンズ部
１ｄ　　当接部
１ｆ　　下脚部（被嵌合部）
２　　　撮像素子
２ａ　　光電変換部
３　　　絞り板
４　　　鏡枠（外枠部材）
４ｃ　　隔壁
４４　　Ｄ溝（嵌合部）
５　　　遮光板（外枠部材）
６　　　フィルタ（外枠部材）
７　　　押圧部材
８　　　電気部品
８ａ　　位置決め電気部品
１０　　開口部
１１　　カバー部材（外枠部材）
１２　　バンプ
５０　　第１の光学部材
５０ａ　レンズ部
６０　　第２の光学部材（補助光学部材）
６０ａ　レンズ部
３３　　絞り板
７１　　上筐体（ケース）
１００，２００　撮像装置
ＰＣ　　基板
Ｔ　　　折り畳み式携帯電話機（携帯端末）
【図１】
2004120617.tif 000003
【図２】
2004120617.tif 000004
【図３】
2004120617.tif 000005
【図４】
2004120617.tif 000006
【図５】
2004120617.tif 000007
【図６】
2004120617.tif 000008
【図７】
2004120617.tif 000009
【図８】
2004120617.tif 000010
【図９】
2004120617.tif 000011